(57)【要約】【課題】  自動的に操作部材を進退せしめて弁座部材の排出通路内面に付着した異物を掃除できるようにする。【解決手段】  本体１と蓋２で弁ケーシングを形成する。弁ケーシングに入口５と弁室４と出口７を形成する。弁室４を出口７側に連通する排出通路８を有する弁座部材９を設ける。弁室４内に弁座部材９に離着座して排出通路８を開閉する弁部材としてのフロート１１を配置する。蓋２の出口通路１０の内壁にマグネット１５を固定する。弁座部材９と同一軸上にプラグ１３をねじ結合し、マグネット１５に対向してプラグ１３の収容凹部１４に排出通路８の軸方向に変位可能に感温磁性体としての感温フェライト１６を収容する。排出通路８内を進退可能な操作部材１７を感温フェライト１６に固着する。感温フェライト１６はキュリー温度以上のときマグネット１５から離れ、キュリー温度以下のときマグネット１５に吸着される。【選択図】      図１
2008020046.tif 000002
【特許請求の範囲】
【請求項１】
弁ケーシングで入口と弁室と出口を形成し、弁室を出口側に連通する排出通路を有する弁座部材を設け、弁室内に弁座部材に離着座して排出通路を開閉する弁部材を配置し、排出通路内に進退可能な操作部材を配置し、操作部材の進退により排出通路の内面に付着した異物を掃除するものにおいて、排出通路の下流にマグネットを固定し、マグネットに対向してキュリー温度以下のときはマグネットに吸着されキュリー温度以上のときはマグネットから離れる感温磁性体を配置し、感温磁性体に操作部材を連結して感温磁性体の変位により操作部材を進退させることを特徴とするスチームトラップ。
【発明の詳細な説明】
【技術分野】
【０００１】
本発明は、蒸気配管系に発生するドレンを自動的に排出するスチームトラップに関し、特に弁部材が離着座して開閉する弁座部材の排出通路の内面に付着した流体中の異物を掃除できるものに関する。
【背景技術】
【０００２】
従来のスチームトラップは、弁ケーシングで入口と弁室と出口を形成し、弁室を出口側に連通する排出通路を有する弁座部材を設け、弁室内に弁座部材に離着座して排出通路を開閉する弁部材を配置し、外部から進退操作可能な操作部材を排出通路内に配置したもので、手動により操作部材を進退せしめて弁座部材の排出通路の内面に付着した異物を掃除するものである。
【０００３】
上記従来のスチームトラップは、手動により操作部材を進退せしめるものであるので、弁座部材の排出通路の内面に付着した異物を掃除するのに手間隙の掛かる問題点があった。
【特許文献１】実公昭４９−３６７４７号公報
【発明の開示】
【発明が解決しようとする課題】
【０００４】
解決しようとする課題は、自動的に操作部材を進退せしめて弁座部材の排出通路内面に付着した異物を掃除できるようにすることである。
【課題を解決するための手段】
【０００５】
本発明は、弁ケーシングで入口と弁室と出口を形成し、弁室を出口側に連通する排出通路を有する弁座部材を設け、弁室内に弁座部材に離着座して排出通路を開閉する弁部材を配置し、排出通路内に進退可能な操作部材を配置し、操作部材の進退により排出通路の内面に付着した異物を掃除するものにおいて、排出通路の下流にマグネットを固定し、マグネットに対向してキュリー温度以下のときはマグネットに吸着されキュリー温度以上のときはマグネットから離れる感温磁性体を配置し、感温磁性体に操作部材を連結して感温磁性体の変位により操作部材を進退させることを特徴とする。
【発明の効果】
【０００６】
本発明は、感温磁性体の変位により操作部材を進退させるものであるので、弁座部材の排出通路の内面に付着した異物を自動的に掃除することができるという優れた効果を生じる。
【発明を実施するための最良の形態】
【０００７】
本発明のスチームトラップは、排出通路の下流にマグネットを固定し、マグネットに対向してキュリー温度以下のときはマグネットに吸着されキュリー温度以上のときはマグネットから離れる感温磁性体を配置し、感温磁性体に操作部材を連結して感温磁性体の変位により操作部材を進退させるものである。そのため、スチームトラップが正常にドレンを排出していれば、感温磁性体がキュリー温度以上でマグネットから離れ操作部材を後退させている。そして、弁座部材の排出通路内面に異物が付着してドレンを排出できなくなると、感温磁性体がキュリー温度以下でマグネットに吸着され操作部材を前進させて弁座部材の排出通路の内面に付着した異物を掃除する。
【実施例１】
【０００８】
上記の技術的手段の具体例を示す実施例を説明する（図１参照）。本体１に蓋２をボルト３で締結して弁ケーシング形成し、内部に弁室４を形成する。本体１は入口５と出口通路６と出口７を有し、入口５は弁室４の上部に連通する。入口５と出口７は同一軸上に形成する。弁室４の下部の蓋２に排出通路８を開けた弁座部材９をねじ結合する。排出通路８は弁室４側端の小径の先端部８ａと、先端部８ａの下流の下流に向かって径の拡がったテーパー部８ｂと、テーパー部８ｂの下流の大径の後端部８ｃから成る。蓋２は出口通路１０を有し、弁室４の下部は排出通路８から出口通路１０，６を介して出口７に連通する。弁室４内に弁座部材９の弁室側端面９ａに離着座して排出通路８を開閉する弁部材としての中空球形のフロート１１を自由状態で配置する。フロート１１が排出通路８を閉じた位置で当接するフロート座１２をフロート１１の下方に、図面の手前側と向う側に２つ設ける。
【０００９】
弁座部材９の排出通路８の下流である蓋２の出口通路１０の内壁にマグネット１５を固定する。弁座部材９と同一軸上にプラグ１３をねじ結合する。プラグ１３に収容凹部１４を形成し、マグネット１５に対向して収容凹部１４に排出通路８の軸方向に変位可能に感温磁性体としての感温フェライト１６を収容する。排出通路８内を進退可能な操作部材１７を感温フェライト１６に固着する。弁座部材９と感温フェライト１６との間に感温フェライト１６を排出通路８から遠ざける方向に付勢する弾性部材としてのコイルバネ１８を配置する。感温フェライト１６はキュリー温度以上のときマグネット１５から離れ、排出通路８からの排出ドレンとコイルバネ１８の力で操作部材１６を後退させている。感温フェライト１６はキュリー温度以下のときコイルバネ１５の力に抗してマグネット１５に吸着され、操作部材１７を前進させて弁座部材９の排出通路８の内面に付着した異物を掃除する。
【００１０】
入口５から流入したドレンは弁室４内に溜り、液面に応じてフロート１１が浮上降下して弁座部材９の先端面９ａに離着座して排出通路８を開閉する。排出通路８が開けられると弁室４内のドレンが排出通路８、出口通路６，１０を通して出口７に排出され、排出通路８が閉じられると弁室４内の蒸気の漏出が防止される。正常にドレンが排出されていれば、感温フェライト１６はキュリー温度以上であり、排出通路８からの排出ドレンとコイルバネ１８の力でマグネット１５から離れて操作部材１６を後退させている。
【００１１】
弁座部材９の排出通路８の先端部８ａ内面に異物が付着して正常にドレンを排出できなくなると、感温フェライト１６はキュリー温度以下であり、コイルバネ１５の力に抗してマグネット１５に吸着され、操作部材１７を前進させて操作部材１７の先端部１７ａで弁座部材９の排出通路８の先端部８ａ内面を掃除する。
【図面の簡単な説明】
【００１２】
【図１】本発明のフロート式スチームトラップの断面図である。
【符号の説明】
【００１３】
１  本体
２  蓋
４  弁室
５  入口
７  出口
８  排出通路
８ａ  排出通路の先端部
９  弁座部材
１１  フロート
１５  マグネット
１６  感温フェライト
１７  操作部材
１７ａ  操作部材の先端部
１８  コイルバネ
【図１】
2008020046.tif 000003